(57)【特許請求の範囲】
【請求項１】
貨幣を入金するための入金部と、
入金された前記貨幣を収納するとともに、収納された該貨幣を必要に応じて繰り出す貨幣収納部と、
前記貨幣収納部から繰り出された前記貨幣を出金するための出金部と、
補充単位枚数以上の貨幣が前記貨幣収納部内に補充可能か否かを検出する補充可否検出部と、
前記補充可否検出部が前記補充単位枚数以上の貨幣を補充することができないことを検出したときに、補充単位枚数以上の貨幣を補充することができない旨を表示する補充不可表示部と、
を備えたことを特徴とする貨幣入出金装置。
【請求項２】
満杯よりも所定枚数少ない枚数の貨幣を前記貨幣収納部が収納しているニアフル状態を検出するニアフル検出部をさらに備え、
前記所定枚数は前記補充単位枚数よりも少なく、
前記補充可否検出部が前記補充単位枚数以上の貨幣を補充することができないことを検出し、かつ、前記ニアフル検出部が前記ニアフル状態を検出していないときに、前記補充不可表示部が補充単位枚数以上の貨幣を補充することができない旨を表示することを特徴とする請求項１に記載の貨幣入出金装置。
【請求項３】
前記貨幣は硬貨であり、
前記補充単位枚数は２０枚または５０枚であることを特徴とする請求項１または２のいずれかに記載の貨幣入出金装置。
【請求項４】
前記貨幣は紙幣であり、
前記補充単位枚数は５枚、１０枚または２０枚のいずれかであることを特徴とする請求項１または２のいずれかに記載の貨幣入出金装置。
【請求項５】
前記補充不可表示部は、貨幣の入出金処理を行うことができる通常モードにおいて、前記補充単位枚数以上の貨幣を補充することができないときに、補充単位枚数以上の貨幣を補充することができない旨を表示することを特徴とする請求項１乃至４のいずれか１項に記載の貨幣入出金装置。
【請求項６】
貨幣の補充を行う補充モードに切換可能となっており、
前記補充不可表示部は、前記補充モードになったときであって、かつ、前記補充単位枚数以上の貨幣を補充することができないときに、補充単位枚数以上の貨幣を補充することができない旨を表示することを特徴とする請求項１乃至４のいずれか１項に記載の貨幣入出金装置。
【請求項７】
前記補充可否検出部は、前記貨幣収納部への貨幣の入出を計数するソフトカウンタによって前記補充単位枚数以上の貨幣を該貨幣収納部内に補充可能か否かを検出するソフト検出部と、前記貨幣収納部内の貨幣の量をセンサで検出することで該補充単位枚数以上の貨幣を該貨幣収納部内に補充可能か否かを検出するハード検出部とを有し、
前記ソフト検出部または前記ハード検出部のいずれか一方によって前記補充単位枚数以上の貨幣を補充することができないことが検出されたときに、前記補充不可表示部は補充単位枚数以上の貨幣を補充することができない旨を表示することを特徴とする請求項１乃至６のいずれか１項に記載の貨幣入出金装置。
【請求項８】
硬貨に関する前記補充単位枚数は、棒金を形成するときに包装される硬貨の枚数である包装単位枚数であり、
棒金収納筐体と、該棒金収納筐体に対して引き出し自在に設けられるとともに、棒金を収納する棒金収納部を有する棒金収納ドロアと、を有する棒金収納庫をさらに備えたことを特徴とする請求項１乃至７のいずれか１項に記載の貨幣入出金装置。
【請求項９】
前記棒金収納庫は、前記補充可否検出部によって前記包装単位枚数以上の補充を行うことができない金種の硬貨があることが検出されたときに、該金種からなる棒金を取り出せないようにロックする棒金ロック部を有することを特徴とする請求項８に記載の貨幣入出金装置。
【請求項１０】
前記貨幣収納部は、硬貨を金種別に収納し、
前記棒金収納ドロアは、金種別に棒金を収納する複数の金種別棒金収納ドロアを有し、
前記補充可否検出部によって前記包装単位枚数以上の補充を行うことができない金種の硬貨があることが検出されたときに、前記棒金ロック部は該金種からなる棒金を収納した金種別棒金収納ドロアを引き出せないようにロックすることを特徴とする請求項９に記載の貨幣入出金装置。
【請求項１１】
前記貨幣収納部は、硬貨を金種別に収納し、
前記補充可否検出部によって前記包装単位枚数以上の補充を行うことができない金種の硬貨があることが検出されたときに、前記棒金ロック部は該金種からなる棒金を収納した棒金収納部から棒金を取り出せないようにロックすることを特徴とする請求項９に記載の貨幣入出金装置。
【請求項１２】
前記貨幣収納部は、硬貨を金種別に収納し、
前記棒金収納庫から棒金が取り出される度に該棒金の硬貨が補充されたものと仮定して前記貨幣収納部内の貨幣の仮想収納枚数が算出され、前記補充可否検出部は、該仮想収納枚数を考慮して前記包装単位枚数以上の貨幣が該貨幣収納部内にさらに補充可能か否かを検出することを特徴とする請求項８乃至１１のいずれか１項に記載の貨幣入出金装置。
【請求項１３】
前記補充単位枚数を変更するための単位変更設定部をさらに備えたことを特徴とする請求項１乃至１２のいずれか１項に記載の貨幣入出金装置。
【請求項１４】
貨幣の入出金処理を行う貨幣入出金装置と、
前記貨幣入出金装置からの信号に基づいて表示を行う表示装置と、を備え、
前記貨幣入出金装置は、
貨幣を入金するための入金部と、
入金された前記貨幣を収納するとともに、収納された該貨幣を必要に応じて繰り出す貨幣収納部と、
前記貨幣収納部から繰り出された前記貨幣を出金するための出金部と、
補充単位枚数以上の貨幣が前記貨幣収納部内に補充可能か否かを検出する補充可否検出部と、
を有し、
前記表示装置は、前記補充可否検出部が前記補充単位枚数以上の貨幣を補充することができないことを検出したときに、補充単位枚数以上の貨幣を補充することができない旨を表示することを特徴とする貨幣入出金システム。
【請求項１５】
前記表示装置は、補充貨幣が管理されている場所に設置されていることを特徴とする請求項１４に記載の貨幣入出金システム。
【請求項１６】
貨幣を入金するための入金部と、入金された該貨幣を収納するとともに収納された該貨幣を必要に応じて繰り出す貨幣収納部と、該貨幣収納部から繰り出された該貨幣を出金するための出金部と、を有する貨幣入出金装置を用いた貨幣補充可否判断方法において、
補充単位枚数以上の貨幣が前記貨幣収納部内に補充可能か否かを検出する工程と、
前記補充単位枚数以上の貨幣を前記貨幣収納部内に補充することができないことが検出されたときに、補充単位枚数以上の貨幣を補充することができない旨を表示する工程と、
を備えたことを特徴とする貨幣補充可否判断方法。
【発明の詳細な説明】
【技術分野】
【０００１】
本発明は、貨幣の入出金処理を行う貨幣入出金装置および貨幣入出金システムと、貨幣入出金装置に貨幣を補充するための貨幣補充可否判断方法に関する。
【背景技術】
【０００２】
従来から、入金された貨幣を金種別に収納するとともに、その貨幣を必要時に繰り出す金種別の貨幣収納部を備えた貨幣入出金装置が知られている。このような貨幣入出金装置において、貨幣入出金装置内の貨幣の枚数を数字で表示するものや、貨幣入出金装置内の貨幣の枚数に応じて赤／緑／点灯／点滅などの異なる表示方法で表示するものなどが知られている。
【０００３】
しかしながら、貨幣入出金装置内の貨幣の枚数を数字で表示するものについては、当該貨幣入出金装置で収納することができる満杯枚数を知らないと装填可能枚数以上を装填してしまうことになる。また、貨幣入出金装置内の枚数に応じ異なる表示方法で表示するものについては、異なる表示方法の各々の意味と貨幣入出金装置で収納することができる満杯枚数の両方を知らないと装填可能枚数以上を装填してしまうことになる。そして、このように装填可能枚数以上を貨幣入出金装置に装填してしまうと貨幣入出金装置が休止する原因となり、操作者へ過度な負担をかけることになってしまう。
【０００４】
この点、貨幣収納部の貨幣量が満杯より第１の所定量少ないニアフル状態を検出するニアフル検出手段と、貨幣収納部の貨幣量がニアフル状態よりさらに第２の所定量少なく貨幣収納部に貨幣を補充する補充時における補充フル状態を検出する補充フル検出手段と、ニアフル検出手段がニアフル状態を検出したときには入金受付を拒否するニアフル状態制御を行い、補充時に補充フル検出手段が補充フル状態を検出したときには当該貨幣収納部への補充を拒否する補充フル状態制御を行う制御手段とを備えた貨幣入出金装置も知られている（例えば、特許文献１参照）。
【０００５】
また、スーパーマーケットなどの流通業界においては、所定枚数毎（５０枚または２０枚）に包装された棒金（包装硬貨）や、所定枚数（５枚、１０枚、２０枚など）を輪ゴムなどで一纏めにした紙幣束を補充単位として補充が行われるのが一般的であった。
【先行技術文献】
【特許文献】
【０００６】
【特許文献１】特開２００９−５９３０９号公報
【発明の概要】
【発明が解決しようとする課題】
【０００７】
確かに、上記の特許文献１の貨幣入出金装置によれば補充フル状態の場合に補充を拒否することができる。しかしながら、このような貨幣入出金装置によっても、予め補充単位枚数以上の貨幣を補充することができるかどうかを操作者が認識することはできず、どうしてもある不足した金種の硬貨を補充する時についでに他の金種も一緒に補充してしまい、無駄な補充処理が発生してしまう。
【０００８】
本発明は、このような点を考慮してなされたものであり、予め補充単位枚数以上の貨幣を補充することができるかどうかを操作者が認識することができ、無駄な補充処理を行うことを防止することができる貨幣入出金装置および貨幣入出金システムと、このような貨幣入出金装置に貨幣を補充するための貨幣補充可否判断方法を提供することを目的とする。
【課題を解決するための手段】
【０００９】
本発明による貨幣入出金装置は、
貨幣を入金するための入金部と、
入金された前記貨幣を収納するとともに、収納された該貨幣を必要に応じて繰り出す貨幣収納部と、
前記貨幣収納部から繰り出された前記貨幣を出金するための出金部と、
補充単位枚数以上の貨幣が前記貨幣収納部内に補充可能か否かを検出する補充可否検出部と、
前記補充可否検出部が前記補充単位枚数以上の貨幣を補充することができないことを検出したときに、補充単位枚数以上の貨幣を補充することができない旨を表示する補充不可表示部と、
を備えている。
【００１０】
本発明による貨幣入出金装置は、
満杯よりも所定枚数少ない枚数の貨幣を前記貨幣収納部が収納しているニアフル状態を検出するニアフル検出部をさらに備え、
前記所定枚数が前記補充単位枚数よりも少なく、
前記補充可否検出部が前記補充単位枚数以上の貨幣を補充することができないことを検出し、かつ、前記ニアフル検出部が前記ニアフル状態を検出していないときに、前記補充不可表示部が補充単位枚数以上の貨幣を補充することができない旨を表示してもよい。
【００１１】
本発明による貨幣入出金装置において、
前記貨幣は硬貨であり、
前記補充単位枚数は２０枚または５０枚であってもよい。
【００１２】
本発明による貨幣入出金装置において、
前記貨幣は紙幣であり、
前記補充単位枚数は５枚、１０枚または２０枚のいずれかであってもよい。
【００１３】
本発明による貨幣入出金装置において、
前記補充不可表示部は、貨幣の入出金処理を行うことができる通常モードにおいて、前記補充単位枚数以上の貨幣を補充することができないときに、補充単位枚数以上の貨幣を補充することができない旨を表示してもよい。
【００１４】
本発明による貨幣入出金装置において、
貨幣の補充を行う補充モードに切換可能となっており、
前記補充不可表示部は、前記補充モードになったときであって、かつ、前記補充単位枚数以上の貨幣を補充することができないときに、補充単位枚数以上の貨幣を補充することができない旨を表示してもよい。
【００１５】
本発明による貨幣入出金装置において、
前記補充可否検出部は、前記貨幣収納部への貨幣の入出を計数するソフトカウンタによって前記補充単位枚数以上の貨幣を該貨幣収納部内に補充可能か否かを検出するソフト検出部と、前記貨幣収納部内の貨幣の量をセンサで検出することで該補充単位枚数以上の貨幣を該貨幣収納部内に補充可能か否かを検出するハード検出部とを有し、
前記ソフト検出部または前記ハード検出部のいずれか一方によって前記補充単位枚数以上の貨幣を補充することができないことが検出されたときに、前記補充不可表示部は補充単位枚数以上の貨幣を補充することができない旨を表示してもよい。
【００１６】
本発明による貨幣入出金装置において、
硬貨に関する前記補充単位枚数は、棒金を形成するときに包装される硬貨の枚数である包装単位枚数であり、
本発明による貨幣入出金装置は、棒金収納筐体と、該棒金収納筐体に対して引き出し自在に設けられるとともに、棒金を収納する棒金収納部を有する棒金収納ドロアと、を有する棒金収納庫をさらに備えてもよい。
【００１７】
本発明による貨幣入出金装置において、
前記棒金収納庫は、前記補充可否検出部によって前記包装単位枚数以上の補充を行うことができない金種の硬貨があることが検出されたときに、該金種からなる棒金を取り出せないようにロックする棒金ロック部を有してもよい。
【００１８】
本発明による貨幣入出金装置において、
前記貨幣収納部は、硬貨を金種別に収納し、
前記棒金収納ドロアは、金種別に棒金を収納する複数の金種別棒金収納ドロアを有し、
前記補充可否検出部によって前記包装単位枚数以上の補充を行うことができない金種の硬貨があることが検出されたときに、前記棒金ロック部は該金種からなる棒金を収納した金種別棒金収納ドロアを引き出せないようにロックしてもよい。
【００１９】
本発明による貨幣入出金装置において、
前記貨幣収納部は、硬貨を金種別に収納し、
前記補充可否検出部によって前記包装単位枚数以上の補充を行うことができない金種の硬貨があることが検出されたときに、前記棒金ロック部は該金種からなる棒金を収納した棒金収納部から棒金を取り出せないようにロックしてもよい。
【００２０】
本発明による貨幣入出金装置において、
前記貨幣収納部は、硬貨を金種別に収納し、
前記棒金収納庫から棒金が取り出される度に該棒金の硬貨が補充されたものと仮定して前記貨幣収納部内の貨幣の仮想収納枚数が算出され、前記補充可否検出部は、該仮想収納枚数を考慮して前記包装単位枚数以上の貨幣が該貨幣収納部内にさらに補充可能か否かを検出してもよい。
【００２１】
本発明による貨幣入出金装置は、
前記補充単位枚数を変更するための単位変更設定部をさらに備えてもよい。
【００２２】
本発明による貨幣入出金システムは、
貨幣の入出金処理を行う貨幣入出金装置と、
前記貨幣入出金装置からの信号に基づいて表示を行う表示装置と、を備え、
前記貨幣入出金装置が、
貨幣を入金するための入金部と、
入金された前記貨幣を収納するとともに、収納された該貨幣を必要に応じて繰り出す貨幣収納部と、
前記貨幣収納部から繰り出された前記貨幣を出金するための出金部と、
補充単位枚数以上の貨幣が前記貨幣収納部内に補充可能か否かを検出する補充可否検出部と、
を有し、
前記表示装置が、前記補充可否検出部が前記補充単位枚数以上の貨幣を補充することができないことを検出したときに、補充単位枚数以上の貨幣を補充することができない旨を表示する。
【００２３】
本発明による貨幣入出金システムにおいて、
前記表示装置は、補充貨幣が管理されている場所に設置されてもよい。
【００２４】
本発明による貨幣補充可否判断方法は、
貨幣を入金するための入金部と、入金された該貨幣を収納するとともに収納された該貨幣を必要に応じて繰り出す貨幣収納部と、該貨幣収納部から繰り出された該貨幣を出金するための出金部と、を有する貨幣入出金装置を用いた貨幣補充可否判断方法において、
補充単位枚数以上の貨幣が前記貨幣収納部内に補充可能か否かを検出する工程と、
前記補充単位枚数以上の貨幣を前記貨幣収納部内に補充することができないことが検出されたときに、補充単位枚数以上の貨幣を補充することができない旨を表示する工程と、
を備えている。
【発明の効果】
【００２５】
本発明によれば、補充単位枚数以上の貨幣を補充することができないことが検出されたときに、補充単位枚数以上の貨幣を補充することができない旨が表示される。このため、無駄な補充処理を行うことを防止することができる。また、このように無駄な補充処理を防げるので、無駄な釣銭準備金を準備しなくてよくなり、釣銭資金を圧縮することができる。さらに、操作者が、補充単位枚数以上の貨幣を補充できるか否かを判断する必要が無くなるので、操作者を精神面で安心させることができる。
【図面の簡単な説明】
【００２６】
【図１】本発明の第１の実施の形態による貨幣入出金装置を示す斜視図。
【図２】本発明の第１の実施の形態による貨幣入出金システムの構成を示す概略図。
【図３】本発明の第１の実施の形態による貨幣入出金システムの信号の流れを説明するためのブロック図。
【図４】本発明の第１の実施の形態による貨幣入出金システムにおける表示内容を説明するための図。
【図５】本発明の第１の実施の形態による貨幣入出金システムにおける通常モードでの表示画面の二つの例を示すための図。
【図６】本発明の第１の実施の形態による貨幣入出金システムにおける補充モードでの表示画面の一例を示すための図。
【図７】本発明の第２の実施の形態の一例による貨幣入出金装置を示す斜視図。
【図８】本発明の第２の実施の形態の一例による貨幣入出金システムのうち棒金収納庫の構成を示す概略図。
【図９】本発明の第２の実施の形態の別の例による貨幣入出金装置を示す斜視図。
【図１０】本発明の第２の実施の形態の別の例による貨幣入出金システムのうち棒金収納庫の構成を示す概略図。
【発明を実施するための形態】
【００２７】
第１の実施の形態
以下、本発明に係る貨幣入出金装置の第１の実施の形態について、図面を参照して説明する。ここで、図１乃至図６は本発明の第１の実施の形態を示す図である。なお、本願において「貨幣」とは「硬貨」と「紙幣」の両方を意味している。
【００２８】
図１に示すように、本実施の形態の貨幣入出金システムは、貨幣を入出金することができる貨幣入出金装置１００，２００と、この貨幣入出金装置１００，２００に接続されて通信可能となっているＰＯＳレジスタ１０と、を備えている。このうち、貨幣入出金装置１００，２００は、硬貨を処理する硬貨入出金装置１００と、紙幣を処理する紙幣入出金装置２００とからなっている。
【００２９】
硬貨入出金装置１００は、図２に示すように、硬貨を受け入れる硬貨入金口１０１と、硬貨入金口１０１によって受け入れられた硬貨を機内に繰り入れる硬貨繰入機構（図示せず）と、硬貨繰入機構によって繰り入れられた硬貨を搬送する硬貨搬送部１０３と、硬貨搬送部１０３に設けられ、硬貨の金種などを識別する硬貨識別部１０４と、を有している。なお、図３に示すように、この硬貨識別部１０４には、硬貨入出金装置１００を制御する硬貨制御部Ｃ１が接続され、硬貨識別部１０４によって識別された硬貨の金種などが当該硬貨制御部Ｃ１に送られる。
【００３０】
また、図２に示すように、硬貨識別部１０４の下流側であって後述する硬貨収納部１０６と硬貨出金部１３０の上流側には、硬貨搬送部１０３で搬送された硬貨を硬貨収納部１０６に搬送するか、硬貨出金部１３０に搬送するかを分ける分岐部１０５が設けられている。なお、入金時に硬貨識別部１０４で識別することができなかった硬貨は、リジェクト硬貨として分岐部１０５で分岐されて硬貨出金部１３０から出金される。
【００３１】
また、図２に示すように、分岐部１０５の下流側には、金種別に硬貨を収納する硬貨収納部１０６（１０６ａ−１０６ｆ）が設けられている。なお、この硬貨収納部１０６は、高額な硬貨ほど正面側に収納されるように構成されている。すなわち、正面側（図２の下方側）から順に、５００円硬貨を収納する硬貨収納部１０６ａ、１００円硬貨を収納する硬貨収納部１０６ｂ、５０円硬貨を収納する硬貨収納部１０６ｃ、１０円硬貨を収納する硬貨収納部１０６ｄ、５円硬貨を収納する硬貨収納部１０６ｅ、１円硬貨を収納する硬貨収納部１０６ｆが配置されている。なお、硬貨収納部１０６の各々には、硬貨収納部１０６から繰り出される硬貨を計数するための投出硬貨検出部（図示せず）が設けられている。
【００３２】
また、硬貨収納部１０６は、必要に応じて硬貨収納部１０６から硬貨を繰り出す硬貨繰出機構（図示せず）を有している。また、図２に示すように、硬貨収納部１０６には、硬貨収納部１０６から繰り出された硬貨を出金するための硬貨出金部１３０が硬貨搬送部１０３を介して連結されている。なお、硬貨収納部１０６と硬貨出金部１３０との間には、硬貨収納部１０６から繰り出された硬貨を検出するとともに計数する払出硬貨検出部１０９が設けられている。
【００３３】
また、図２に示すように、紙幣入出金装置２００は、紙幣が挿入される紙幣入金口２０１と、紙幣入金口２０１によって受け入れられた紙幣を機内に繰り入れる紙幣繰込機構２０２と、紙幣繰込機構２０２に連結され、紙幣繰込機構２０２によって繰り込まれた紙幣を搬送する紙幣接続搬送部２０３ｂと、紙幣接続搬送部２０３ｂに連結され、紙幣接続搬送部２０３ｂから搬送された紙幣を搬送する紙幣周回搬送部２０３ａと、を有している。なお、この紙幣周回搬送部２０３ａは、紙幣繰込機構２０２によって繰り込まれた紙幣を搬送する場合には反時計回りに当該紙幣を搬送し、後述する紙幣収納部２０６内から紙幣を繰り出す場合には時計回りに当該紙幣を搬送する。
【００３４】
また、図２に示すように、紙幣周回搬送部２０３ａには、紙幣の金種などを識別する紙幣識別部２０４が設けられている。なお、図３に示すように、この紙幣識別部２０４には、紙幣入出金装置２００を制御する紙幣制御部Ｃ２が接続され、紙幣識別部２０４によって識別された紙幣の金種などが当該紙幣制御部Ｃ２に送られる。また、紙幣周回搬送部２０３ａには、紙幣接続搬送部２０３ｂを介して紙幣収納部２０６が連結されており、各紙幣収納部２０６には、紙幣識別部２０４による識別結果に基づいて、金種別に紙幣が収納される。なお、紙幣収納部２０６は、必要に応じて紙幣収納部２０６から紙幣を繰り出す紙幣繰出機構（図示せず）を有している。
【００３５】
また、図２に示すように、紙幣周回搬送部２０３ａには、回収処理を行う際に紙幣収納部２０６から繰り出された紙幣を収納する回収カセット２０７が紙幣接続搬送部２０３ｂを介して連結されている。なお、紙幣識別部２０４で識別された紙幣の金種を収納するための紙幣収納部２０６が満杯である場合には、この紙幣はオーバーフロー紙幣として、回収カセット２０７に収納される。
【００３６】
また、図２に示すように、紙幣周回搬送部２０３ａには、必要に応じて紙幣収納部２０６から繰り出された紙幣が放出される紙幣放出ユニット２０８が、紙幣接続搬送部２０３ｂを介して連結されている。また、この紙幣放出ユニット２０８には、紙幣を機外へ放出する紙幣出金口２３０が設けられている。なお、紙幣放出ユニット２０８は、入金時に汚損などにより紙幣識別部２０４によって金種を識別することができない紙幣（入金リジェクト紙幣）が放出されるようにもなっている。
【００３７】
また、図２に示すように、紙幣周回搬送部２０３ａには、紙幣収納部２０６から繰り出された紙幣が、斜行などにより紙幣識別部２０４によって金種を識別できない場合に、当該紙幣（出金リジェクト紙幣）を収納する出金リジェクト部２４０が連結されている。
【００３８】
また、図２に示すように、硬貨入出金装置１００の硬貨制御部Ｃ１は紙幣入出金装置２００の紙幣制御部Ｃ２に接続されている。そして、この紙幣制御部Ｃ２には、ＰＯＳレジスタ１０を制御するＰＯＳ制御部Ｃ０が接続されている。なお、硬貨制御部Ｃ１は、硬貨の入出金処理を行うことができる通常モードと、硬貨の補充を行うことができる補充モードと、硬貨の回収を行うことができる回収モードに切換可能になっている。また、紙幣制御部Ｃ２も、紙幣の入出金処理を行うことができる通常モードと、紙幣の補充を行うことができる補充モードと、紙幣の回収を行うことができる回収モードに切換可能になっている。
【００３９】
なお、上述した硬貨入金口１０１と硬貨繰入機構によって硬貨入金部が構成され、紙幣入金口２０１と紙幣繰込機構２０２によって紙幣入金部が構成されている。また、これら硬貨入金部と紙幣入金部によって貨幣を入金するための入金部が構成されている。
【００４０】
また、上述した硬貨収納部１０６と紙幣収納部２０６によって貨幣収納部１０６，２０６が構成されている。また、上述した紙幣放出ユニット２０８と紙幣出金口２３０によって紙幣出金部が構成され、この紙幣出金部と上述した硬貨出金部１３０によって出金部が構成されている。
【００４１】
また、図１に示すように、ＰＯＳレジスタ１０は、顧客へ購入金額、釣銭などの情報を提示するためのカスタマーディスプレイ１２と、操作者が購入商品などの情報を打ち込むための操作ボタン１３とを有している。
【００４２】
また、図３に示すように、硬貨制御部Ｃ１には、補充単位枚数以上の硬貨が硬貨収納部１０６内に補充可能か否かを検出する硬貨補充可否検出部１２０が接続されている。また、紙幣制御部Ｃ２には、補充単位枚数以上の紙幣が紙幣収納部２０６内に補充可能か否かを検出する紙幣補充可否検出部２２０が接続されている。そして、これら硬貨補充可否検出部１２０と紙幣補充可否検出部２２０によって、補充可否検出部１２０，２２０が構成されている。
【００４３】
また、本実施の形態の硬貨入出金装置１００は、図３に示すように、硬貨収納部１０６への硬貨の入出を計数する硬貨ソフトカウンタ１２１ｓと、この硬貨ソフトカウンタ１２１ｓからの情報を受けて補充単位枚数以上の硬貨を硬貨収納部１０６内に補充可能か否かを検出する硬貨ソフト検出部１２１と、を有している。また、硬貨入出金装置１００は、硬貨収納部１０６内の硬貨の量を検出する硬貨センサ１０６ｓ（図２参照）と、この硬貨センサ１０６ｓからの情報を受けて補充単位枚数以上の硬貨を硬貨収納部１０６内に補充可能か否かを検出する硬貨ハード検出部１２２と、を有している。そして、上記の硬貨補充可否検出部１２０は、硬貨ソフト検出部１２１と硬貨ハード検出部１２２の両方からなっている。このように、本実施の形態では、硬貨ソフト検出部１２１と硬貨ハード検出部１２２の両方から硬貨補充可否検出部１２０が構成される態様を用いて説明するが、これに限られることはなく、例えば硬貨補充可否検出部１２０は硬貨ソフト検出部１２１のみからなってもよいし、また、硬貨ハード検出部１２２のみからなってもよい。
【００４４】
また、本実施の形態の紙幣入出金装置２００は、図３に示すように、紙幣収納部２０６への紙幣の入出を計数する紙幣ソフトカウンタ２２１ｓと、この紙幣ソフトカウンタ２２１ｓからの情報を受けて補充単位枚数以上の紙幣を紙幣収納部２０６内に補充可能か否かを検出する紙幣ソフト検出部２２１と、を有している。また、紙幣入出金装置２００は、紙幣収納部２０６内の紙幣の量を検出する紙幣センサ２０６ｓ（図２参照）と、この紙幣センサ２０６ｓからの情報を受けて補充単位枚数以上の紙幣を紙幣収納部２０６内に補充可能か否かを検出する紙幣ハード検出部２２２と、を有している。そして、上記の紙幣補充可否検出部２２０は、紙幣ソフト検出部２２１と紙幣ハード検出部２２２の両方からなっている。このように、本実施の形態では、紙幣ソフト検出部２２１と紙幣ハード検出部２２２の両方から紙幣補充可否検出部２２０が構成される態様を用いて説明するが、これに限られることはなく、例えば紙幣補充可否検出部２２０は紙幣ソフト検出部２２１のみからなってもよいし、また、紙幣ハード検出部２２２のみからなってもよい。
【００４５】
なお、硬貨補充可否検出部１２０が補充単位枚数以上の硬貨を補充することができないと判断するのは、「硬貨収納部１０６で収容可能な硬貨の満杯枚数−補充単位枚数＜実際に硬貨収納部１０６内に収納されている硬貨の枚数」となっているときであり、紙幣補充可否検出部２２０が補充単位枚数以上の紙幣を補充することができないと判断するのは、「紙幣収納部２０６で収容可能な紙幣の満杯枚数−補充単位枚数＜実際に紙幣収納部２０６内に収納されている紙幣の枚数」となっているときである。
【００４６】
ところで、本願の「補充単位枚数」とは、補充する貨幣の一般的な枚数のことを意味している。そして、硬貨についての補充単位枚数は、例えば棒金を形成するときに包装される硬貨の枚数である包装単位枚数からなってもよく、２０枚または５０枚からなってもよい。これは、通常、５００円硬貨について棒金として包装される硬貨の枚数が２０枚であり、５００円以外の金種の硬貨について棒金として包装される硬貨の枚数が５０枚であるためである。また、紙幣についての補充単位枚数は、例えば５枚、１０枚、２０枚などからなってもよい。これは、通常、店舗などで紙幣の束ねられる枚数（紙幣束の枚数）が５枚、１０枚、２０枚などからなっているためである。
【００４７】
なお、図３に示すように、硬貨制御部Ｃ１には硬貨の補充単位枚数を変更するための硬貨単位変更設定部１１３が接続され、紙幣制御部Ｃ２には紙幣の補充単位枚数を変更するための紙幣単位変更設定部２１３が接続されている。このため、これら硬貨単位変更設定部１１３および紙幣単位変更設定部２１３によって、硬貨および紙幣の補充単位枚数を店舗などの用途に合わせて設定することができる。
【００４８】
また、図３に示すように、硬貨制御部Ｃ１には、硬貨補充可否検出部１２０が補充単位枚数以上の硬貨を補充することができないことを検出したときに補充単位枚数以上の硬貨を補充することができない旨を表示する硬貨表示部１１１（図１参照）が接続されている。また、紙幣制御部Ｃ２には、紙幣補充可否検出部２２０が補充単位枚数以上の紙幣を補充することができないことを検出したときに補充単位枚数以上の紙幣を補充することができない旨を表示する紙幣表示部２１１（図１参照）が接続されている。
【００４９】
また、ＰＯＳレジスタ１０は、硬貨補充可否検出部１２０が補充単位枚数以上の硬貨を補充することができないことを検出したときに補充単位枚数以上の硬貨を補充することができない旨を表示し、紙幣補充可否検出部２２０が補充単位枚数以上の紙幣を補充することができないことを検出したときに補充単位枚数以上の紙幣を補充することができない旨を表示するＰＯＳ表示部１１（図１参照）を有している。なお、硬貨補充可否検出部１２０から送られてくる信号と紙幣補充可否検出部２２０から送られてくる信号はＰＯＳ制御部Ｃ３に送られる。そして、当該ＰＯＳ制御部Ｃ３からの信号に基づいて、ＰＯＳ表示部１１に上記の情報（補充単位枚数以上の硬貨を補充することができない旨の情報と補充単位枚数以上の紙幣を補充することができない旨の情報）が表示される。
【００５０】
また、ＰＯＳ制御部Ｃ０には、硬貨補充可否検出部１２０が補充単位枚数以上の硬貨を補充することができないことを検出したときに補充単位枚数以上の硬貨を補充することができない旨を表示し、紙幣補充可否検出部２２０が補充単位枚数以上の紙幣を補充することができないことを検出したときに補充単位枚数以上の紙幣を補充することができない旨を表示する表示装置５０（図２参照）が接続されている。なお、この表示装置５０は、例えば店舗のバックヤードなどの補充貨幣が管理されている場所に設置されている。このため、管理者は、補充単位枚数以上の硬貨や紙幣を貨幣入出金装置１００，２００に補充することができるかを把握したうえで、補充する硬貨および紙幣の量を決定することができる。
【００５１】
なお、これら硬貨表示部１１１、紙幣表示部２１１、ＰＯＳ表示部１１および表示装置５０の各々が補充不可表示部として機能している。
【００５２】
また、図３に示すように、硬貨制御部Ｃ１には、満杯よりも「所定枚数」少ない枚数の硬貨を硬貨収納部１０６が収納しているニアフル状態を検出する硬貨ニアフル検出部１１２が接続されている。また、紙幣制御部Ｃ２には、満杯よりも「所定枚数」少ない枚数の紙幣を紙幣収納部２０６が収納しているニアフル状態を検出する紙幣ニアフル検出部２１２が接続されている。そして、これら硬貨ニアフル検出部１１２と紙幣ニアフル検出部２１２によって、ニアフル検出部が構成されている。
【００５３】
なお、本実施の形態の硬貨ニアフル検出部１１２は、図３に示すように、硬貨ソフトカウンタ１２１ｓと硬貨センサ１０６ｓの両方に接続され、硬貨ソフトカウンタ１２１ｓと硬貨センサ１０６ｓの両方の情報からニアフル状態を検出するように構成されている。また、同様に、紙幣ニアフル検出部２１２は、紙幣ソフトカウンタ２２１ｓと紙幣センサ２０６ｓの両方に接続され、紙幣ソフトカウンタ２２１ｓと紙幣センサ２０６ｓの両方の情報からニアフル状態を検出するように構成されている。
【００５４】
ところで、本実施の形態の態様と異なり、硬貨ニアフル検出部１１２は、硬貨ソフトカウンタ１２１ｓからの情報のみによってニアフル状態を検出してもよいし、硬貨センサ１０６ｓからの情報のみによってニアフル状態を検出してもよい。また、同様に、紙幣ニアフル検出部２１２は、紙幣ソフトカウンタ２２１ｓからの情報のみによってニアフル状態を検出してもよいし、紙幣センサ２０６ｓからの情報のみによってニアフル状態を検出してもよい。
【００５５】
本実施の形態では、上記の「所定枚数」は補充単位枚数よりも少なくなっており、硬貨制御部Ｃ１は、硬貨補充可否検出部１２０が補充単位枚数以上の硬貨を補充することができないことを検出し、かつ、硬貨ニアフル検出部１１２がニアフル状態を検出していないときに、硬貨表示部１１１、ＰＯＳ表示部１１および表示装置５０に補充単位枚数以上の硬貨を補充することができない旨の表示をさせる（図４（ｃ）参照）。他方、硬貨ニアフル検出部１１２がニアフル状態を検出しているときには、硬貨制御部Ｃ１は、硬貨表示部１１１、ＰＯＳ表示部１１および表示装置５０に単に硬貨を補充することができない旨の表示をさせる（図４（ｂ）参照）。
【００５６】
また、紙幣制御部Ｃ２は、紙幣補充可否検出部２２０が補充単位枚数以上の紙幣を補充することができないことを検出し、かつ、紙幣ニアフル検出部２１２がニアフル状態を検出していないときに、紙幣表示部２１１、ＰＯＳ表示部１１および表示装置５０に補充単位枚数以上の紙幣を補充することができない旨の表示をさせる（図４（ｃ）参照）。他方、紙幣ニアフル検出部２１２がニアフル状態を検出しているときには、紙幣制御部Ｃ２は、紙幣表示部２１１、ＰＯＳ表示部１１および表示装置５０に単に紙幣を補充することができない旨の表示をさせる（図４（ｂ）参照）。なお、図４（ａ）は、貨幣収納部１０６，２０６に貨幣が満杯に収納されている状態を示している。
【００５７】
次に、硬貨表示部１１１、紙幣表示部２１１、ＰＯＳ表示部１１および表示装置５０で表示される表示態様について説明する。表示態様の一例としては、硬貨表示部１１１、ＰＯＳ表示部１１および表示装置５０の各々が、通常モードにおいて、補充単位枚数以上の硬貨を補充することができないときにはその旨を表示するとともに、紙幣表示部２１１、ＰＯＳ表示部１１および表示装置５０の各々が、通常モードにおいて、補充単位枚数以上の紙幣を補充することができないときにはその旨を表示するようにしてもよい。
【００５８】
ここで、図５（ａ）（ｂ）を用いて、補充単位枚数以上の「硬貨」を補充することができないときに、その旨を通常モードで表示する例について説明する。一例として、図５（ａ）に示すように、補充単位枚数以上を補充することができない硬貨の金種（図５（ａ）に示す態様では５００円、５０円、１０円）を硬貨表示部１１１、ＰＯＳ表示部１１および表示装置５０の各々に表示させることができる。また、他の例として、図５（ｂ）に示すように、補充単位枚数以上を補充することができない硬貨の金種を特殊な表示態様で（図５（ｂ）では５００円、５０円、１０円を反転表示させて）硬貨表示部１１１、ＰＯＳ表示部１１および表示装置５０の各々に表示させることができる。
【００５９】
このように、補充単位枚数以上の硬貨または紙幣を補充することができないときには、通常モードにおいてその旨を表示する態様では、操作者が常に補充単位枚数以上の硬貨または紙幣を補充することができるか把握することができる。このため、操作者は、硬貨収納部１０６および紙幣収納部２０６へ補充する必要性の有無を常時把握することができる。
【００６０】
また、異なる表示態様としては、通常モードでは補充単位枚数以上の貨幣を補充できるかを一切表示せず、補充モードに切り換えられた際にのみ補充単位枚数以上の貨幣を補充できるかを表示するようにしてもよい。より具体的には、硬貨表示部１１１、ＰＯＳ表示部１１および表示装置５０の各々が、硬貨制御部Ｃ１が補充モードになったときであって、かつ、補充単位枚数以上の硬貨を補充することができないときに、補充単位枚数以上の硬貨を補充することができない旨を表示する。また、紙幣表示部２１１、ＰＯＳ表示部１１および表示装置５０の各々が、紙幣制御部Ｃ２が補充モードになったときであって、かつ、補充単位枚数以上の紙幣を補充することができないときに、補充単位枚数以上の紙幣を補充することができない旨を表示する。なお、通常モードでは、補充単位枚数以上の硬貨または紙幣を補充できるかを一切表示しない。
【００６１】
ここで、図６（ａ）（ｂ）を用いて、補充単位枚数以上の「硬貨」を補充することができないときに、通常モードではその旨を一切表示せず、他方、補充モードでその旨を表示する例について説明する。具体的には、通常モードでは、補充単位枚数以上の硬貨を補充できるかは一切表示されない（図６（ａ）参照）。他方、補充モードに入った際に補充単位枚数以上の硬貨を補充することができないときには、補充単位枚数以上を補充することができない硬貨の金種が特殊な表示態様で（図６（ｂ）では５００円、５０円、１０円を反転表示させて）、硬貨表示部１１１、ＰＯＳ表示部１１および表示装置５０の各々に表示される。
【００６２】
このように、通常モードでは補充単位枚数以上の硬貨または紙幣を補充できるかを一切表示せず、補充単位枚数以上の硬貨または紙幣を補充することができないときには補充モードにおいてのみその旨を表示する態様では、通常モードにおいて余分な表示が行われない。このため、通常モードにおいて、硬貨表示部１１１、紙幣表示部２１１、ＰＯＳ表示部１１および表示装置５０の各々での表示スペースを無駄にとる必要がなくなる。
【００６３】
次に、このような構成からなる本実施の形態の作用および効果について説明する。
【００６４】
（入金処理）
最初に、本実施の形態の貨幣入出金装置１００，２００における入金処理（補充処理を含む）について、図２を用いて簡単に説明する。
【００６５】
硬貨を入金する際の態様について説明する。まず、硬貨入金口１０１に硬貨が受け入れられる。次に、硬貨繰入機構（図示せず）によって当該硬貨が機内に繰り入れられる。次に、当該硬貨は硬貨搬送部１０３によって搬送される。このように硬貨搬送部１０３によって硬貨が搬送されている間に、当該硬貨の金種が硬貨識別部１０４によって識別される。そして、硬貨識別部１０４による識別結果を受けて、金種別に硬貨収納部１０６に硬貨が収納される。なお、硬貨識別部１０４で識別することができなかった硬貨は、分岐部１０５で分岐されて、入金リジェクト硬貨として硬貨出金部１３０へ搬送されて出金される。
【００６６】
次に、紙幣を入金する際の態様について説明する。紙幣入金口２０１から紙幣が挿入されると、紙幣繰込機構２０２によって当該紙幣が機内に繰り入れられる。次に、当該紙幣は紙幣接続搬送部２０３ｂと紙幣周回搬送部２０３ａによって搬送される。なお、紙幣周回搬送部２０３ａにおいては反時計回りで当該紙幣が搬送される。このように紙幣周回搬送部２０３ａによって紙幣が搬送されている間に、当該紙幣の金種が紙幣識別部２０４によって識別される。そして、紙幣識別部２０４による識別結果を受けて、金種別に紙幣収納部２０６に紙幣が収納される。なお、紙幣識別部２０４で識別することができなかった紙幣は、入金リジェクト紙幣として紙幣放出ユニット２０８へ搬送されて紙幣出金口２３０から出金される。
【００６７】
（出金処理）
次に、本実施の形態の貨幣入出金装置１００，２００における出金処理（回収処理も含む）について、図２を用いて簡単に説明する。
【００６８】
硬貨を出金する際の態様について説明する。まず、ＰＯＳレジスタ１０などの上位機によって出金指令が出力されると、紙幣入出金装置２００の紙幣制御部Ｃ２を介して硬貨入出金機１００に出金指令が入力される。そして、この指令を受けて、硬貨制御部Ｃ１によって、出金処理を行う旨の指示が出されて、硬貨収納部１０６の硬貨繰出機構（図示せず）によって硬貨が硬貨搬送部１０３に繰り出される。なお、硬貨搬送部１０３から硬貨が繰り出される際に、投出硬貨検出部（図示せず）によって当該硬貨が計数される。硬貨搬送部１０３に繰り出された硬貨は、硬貨搬送部１０３によって硬貨出金部１３０に向かって搬送されて、最終的には硬貨出金部１３０から出金される。なお、硬貨搬送部１０３によって硬貨が搬送されている間に、払出硬貨検出部１０９によって繰り出された硬貨の金種と枚数が確認される。
【００６９】
次に、紙幣を出金する際の態様について説明する。まず、ＰＯＳレジスタ１０などの上位機によって出金指令が入力される。そして、この指令を受けて、紙幣制御部Ｃ２によって、出金処理を行う旨の指示が出されて、紙幣収納部２０６の紙幣繰出機構（図示せず）によって紙幣が紙幣接続搬送部２０３ｂに繰り出される。次に、当該紙幣が紙幣周回搬送部２０３ａを時計回りに搬送された後で、紙幣接続搬送部２０３ｂを介して紙幣放出ユニット２０８に搬送されて紙幣出金口２３０から出金される。なお、回収処理の場合には、紙幣放出ユニット２０８の代わりに回収カセット２０７に紙幣が搬送される。ところで、紙幣周回搬送部２０３ａによって紙幣が搬送されている際に、紙幣識別部２０４によって当該紙幣の金種が識別される。そして、汚損などにより紙幣識別部２０４によって金種を識別することができない紙幣は出金リジェクト部２４０に搬送される。
【００７０】
（本実施の形態による貨幣入金装置特有の作用効果）
上記の入金処理について述べた態様で貨幣が補充されることになるが、本実施の形態によれば、このように貨幣を貨幣入金装置に補充する前に、操作者が、補充単位枚数以上の貨幣を補充することができるかを確認することができる。より具体的には、本実施の形態によれば、硬貨補充可否検出部１２０によって補充単位枚数以上の硬貨が硬貨収納部１０６内に補充可能か否かが各金種毎に検出される。そして、硬貨補充可否検出部１２０によって補充単位枚数以上の硬貨を硬貨収納部１０６内に補充することができないことが検出された金種があるときに、硬貨表示部１１１、ＰＯＳ表示部１１および表示装置５０の各々によって、該当する金種に対して補充単位枚数以上の硬貨を補充することができない旨が表示される。また、同様に、紙幣補充可否検出部２２０によって補充単位枚数以上の紙幣が紙幣収納部２０６内に補充可能か否かが各金種毎に検出される。そして、紙幣補充可否検出部２２０によって補充単位枚数以上の紙幣を紙幣収納部２０６内に補充することができないことが検出された金種があるときに、紙幣表示部２１１、ＰＯＳ表示部１１および表示装置５０の各々によって、該当する金種に対して補充単位枚数以上の紙幣を補充することができない旨を表示される。このため、予め補充単位枚数の硬貨や紙幣を補充することができるかが操作者によって把握されるので、操作者が無駄な補充処理を行うことを防止することができる。また、このように無駄な補充処理を防げるので、無駄な釣銭準備金を準備しなくてよくなり、釣銭資金を圧縮することができる。さらに、補充単位枚数以上の硬貨または紙幣を補充することができないことが自動的に表示されるので、操作者自らが補充単位枚数以上の硬貨または紙幣を補充できるか否かを判断する必要が無くなるので、操作者を精神面で安心させることができる。
【００７１】
また、本実施の形態によれば、硬貨補充可否検出部１２０によって補充単位枚数以上の硬貨を補充することができないことが検出され、かつ、硬貨ニアフル検出部１１２によってニアフル状態が検出されていないときに、硬貨表示部１１１、ＰＯＳ表示部１１および表示装置５０によって補充単位枚数以上の硬貨を補充することができない旨が表示される（図４（ｃ）参照）。他方、硬貨ニアフル検出部１１２によってニアフル状態が検出されているときには、硬貨表示部１１１、ＰＯＳ表示部１１および表示装置５０によって単に硬貨を補充することができない旨が表示される（図４（ｂ）参照）。このため、ニアフル状態のときには硬貨を補充すること自体ができないことが操作者に把握され、他方、ニアフル状態ではないものの補充単位枚数以上の硬貨を補充することができないときには、補充単位枚数未満のバラの硬貨を補充することができることが操作者に把握される。従って、操作者による状況に応じた硬貨の補充処理が可能となる。
【００７２】
また、同様に、紙幣補充可否検出部２２０によって補充単位枚数以上の紙幣を補充することができないことが検出され、かつ、紙幣ニアフル検出部２１２によってニアフル状態が検出されていないときに、紙幣表示部２１１、ＰＯＳ表示部１１および表示装置５０によって補充単位枚数以上の紙幣を補充することができない旨が表示される（図４（ｃ）参照）。他方、紙幣ニアフル検出部２１２によってニアフル状態が検出されているときには、紙幣表示部２１１、ＰＯＳ表示部１１および表示装置５０によって単に紙幣を補充することができない旨が表示される（図４（ｂ）参照）。このため、ニアフル状態のときには紙幣を補充すること自体ができないことが操作者に把握され、他方、ニアフル状態ではないものの補充単位枚数以上の紙幣を補充することができないときには、補充単位枚数未満のバラの紙幣を補充することができることが操作者に把握される。従って、操作者による状況に応じた紙幣の補充処理が可能となる。
【００７３】
また、本実施の形態では、硬貨補充可否検出部１２０が、硬貨ソフト検出部１２１と硬貨ハード検出部１２２の両方を有しているので、硬貨ソフト検出部１２１または硬貨ハード検出部１２２のいずれか一方によって補充単位枚数以上の硬貨を補充することができないことが検出されたときに、硬貨表示部１１１、ＰＯＳ表示部１１および表示装置５０に補充単位枚数以上の硬貨を補充することができない旨を表示することができる。また、紙幣補充可否検出部２２０が、紙幣ソフト検出部２２１と紙幣ハード検出部２２２の両方を有しているので、紙幣ソフト検出部２２１または紙幣ハード検出部２２２のいずれか一方によって補充単位枚数以上の紙幣を補充することができないことが検出されたときに、紙幣表示部２１１、ＰＯＳ表示部１１および表示装置５０に補充単位枚数以上の紙幣を補充することができない旨を表示することができる。従って、本実施の形態によれば、ソフト検出部またはハード検出部のいずれか一方しか無い態様と比較して、補充単位枚数以上の硬貨または紙幣を補充することができないことをより確実に把握することができる。
【００７４】
第２の実施の形態
次に、図７乃至図１０により、本発明の第２の実施の形態について説明する。
【００７５】
図７および図９に示すように、本実施の形態では、棒金収納筐体３０１と、棒金収納筐体３０１に対して引き出し自在に設けられるとともに棒金を収納する棒金収納部３１１（図８および図１０参照）を有する棒金収納ドロア３１０と、を有する棒金収納庫３００がさらに設けられた態様になっている。
【００７６】
そして、図８および図１０に示すように、棒金収納庫３００は、硬貨補充可否検出部１２０によって包装単位枚数（補充単位枚数）以上の補充を行うことができない金種の硬貨があることが検出されたときに、当該金種からなる棒金を取り出せないようにロックする棒金ロック部３２０を有している。
【００７７】
なお、図８および図１０に示すように、棒金収納庫３００は、硬貨制御部Ｃ１および紙幣制御部Ｃ２に接続された棒金制御部Ｃ３を有している。そして、棒金制御部Ｃ３は、これら硬貨制御部Ｃ１および紙幣制御部Ｃ２から送られてくる情報に基づいて、棒金ロック部３２０などを制御するように構成されている。
【００７８】
第２の実施の形態において、その他の構成は、第１の実施の形態と略同一の態様となっている。図７乃至図１０に示す第２の実施の形態において、図１乃至図６に示す第１の実施の形態と同一部分には同一符号を付して詳細な説明は省略する。なお、紙幣に関する紙幣入出金装置２００などについては第１の実施の形態と同様の構成からなっているため、説明を省略する。
【００７９】
本実施の形態の一態様において、棒金収納ドロア３１０は、図７および図８に示すように、金種別に棒金を収納する複数の金種別棒金収納ドロア３１０ａ−３１０ｆを有している。より具体的には、図７および図８に示す態様では、５００円硬貨が金種別棒金収納ドロア３１０ａに収納され、１００円硬貨が金種別棒金収納ドロア３１０ｂに収納され、５０円硬貨が金種別棒金収納ドロア３１０ｃに収納され、１０円硬貨が金種別棒金収納ドロア３１０ｄに収納され、５円硬貨が金種別棒金収納ドロア３１０ｅに収納され、１円硬貨が金種別棒金収納ドロア３１０ｆに収納される。
【００８０】
そして、硬貨補充可否検出部１２０によって補充単位枚数以上の硬貨の補充を行うことができない金種の硬貨があることが検出されたときに、棒金ロック部３２０が、当該金種からなる棒金を収納した金種別棒金収納ドロア３１０ａ−３１０ｆを引き出せないようにロックするように構成されている。一例として、硬貨補充可否検出部１２０によって１００円硬貨について補充単位枚数以上の硬貨の補充を行うことができないことが検出されると、棒金ロック部３２０によって、金種別棒金収納ドロア３１０ｂがロックされて引き出されないようになる。なお、図８では図面を簡略化するために、金種別棒金収納ドロア３１０ｃに対応する棒金ロック部３２０と棒金制御部Ｃ３の間の配線のみを点線で示しているが、実際には、全ての棒金ロック部３２０と棒金制御部Ｃ３が接続されており、棒金ロック部３２０の各々が棒金制御部Ｃ３からの信号を受けることができるようになっている。
【００８１】
また、本実施の形態の別の態様においては、図９および図１０に示すように、棒金収納部３１１の各々に棒金ロック部３２０が設けられており、硬貨補充可否検出部１２０によって補充単位枚数以上の硬貨の補充を行うことができない金種の硬貨があることが検出されたときには、棒金ロック部３２０が当該金種からなる棒金を収納した棒金収納部３１１から棒金を取り出せないようにロックするように構成されている。一例として、硬貨補充可否検出部１２０によって１００円硬貨について補充単位枚数以上の硬貨の補充を行うことができないことが検出されると、棒金ロック部３２０によって、１００円硬貨の棒金を収納している棒金収納部３１１に設けられた棒金ロック部３２０が作動し、当該棒金収納部３１１から１００円硬貨の棒金が取り出されないようになっている。なお、図１０では図面を簡略化するために、一つの棒金ロック部３２０と棒金制御部Ｃ３の間の配線のみを点線で示しているが、実際には、全ての棒金ロック部３２０と棒金制御部Ｃ３が接続されており、棒金ロック部３２０の各々が棒金制御部Ｃ３からの信号を受けることができるようになっている。
【００８２】
本実施の形態によれば、補充単位枚数以上の硬貨を棒金収納庫３００から取り出すこと自体ができなくなる。このため、例えば操作者が硬貨表示部１１１、ＰＯＳ表示部１１および表示装置５０などの表示を見逃した場合であっても、操作者が誤って棒金の硬貨を補充することを防止することができる。この結果、操作者が無駄な補充処理を行うことをより確実に防止することができる。また、操作者にしてみると、硬貨表示部１１１、ＰＯＳ表示部１１および表示装置５０などの表示を気にする必要が無くなり、操作者が注意を払わなければならない事項を軽減することができる。
【００８３】
なお、棒金の硬貨を硬貨入出金装置１００に実際に補充する前に、棒金収納庫３００から連続して棒金を取り出すことを想定して、本実施の形態では、棒金収納部３１１の各々に棒金の有無を検出する棒金有無検知センサ３１１ｓが設けられている。そして、棒金収納部３１１から棒金が取り出される度に当該棒金の硬貨が補充されたものと仮定して硬貨収納部１０６内の硬貨の仮想収納枚数が算出され、硬貨補充可否検出部１２０が、仮想収納枚数を考慮して（仮想枚数分の補充が行われたものとして）包装単位枚数以上の硬貨が硬貨収納部１０６内にさらに補充可能か否かを検出するように構成されている。例えば、１００円硬貨の棒金が３本取り出された場合には、当該１００円硬貨が実際に硬貨入出金装置１００に補充されていなくても、５０×３＝１５０枚の補充が行われたものとして取り扱われる。そして、硬貨補充可否検出部１２０によって、包装単位枚数である５０枚以上の１００円硬貨が硬貨収納部１０６ｂ内にさらに補充可能か否かが検出されることとなる。なお、各棒金有無検知センサ３１１ｓは棒金制御部Ｃ３に接続されており、棒金制御部Ｃ３と通信可能となっている。
【００８４】
そして、図９および図１０に示す態様では、２本目以降の棒金についても、包装単位枚数以上の硬貨を補充することができない金種からなる棒金の取り出しを禁止することができる。このため、２本目以降の棒金についても、操作者が誤って補充することを確実に防止することができる。
【００８５】
なお、仮想収納枚数の算出は、硬貨補充可否検出部１２０自身が行ってもよいし、硬貨制御部Ｃ１やＰＯＳ制御部Ｃ０などが行ってもよい。
【００８６】
ところで、上述した実施の形態では、貨幣収納部内に補充単位枚数以上の貨幣の補充が可能か否かを検出して、補充できないことが検出されたときに補充単位枚数以上の貨幣を補充することができない旨を表示するようにしたが、これに限られることはない。例えばこれとは逆に、貨幣を補充することができる場合に、補充単位枚数以上の貨幣の補充が可能である旨の表示を行ったり、あるいは補充単位で幾ら（例えば、硬貨であれば、何本の棒金）が補充可能であるかなどを表示するようにしたりしてもよい。
【符号の説明】
【００８７】
１１        ＰＯＳ表示部
５０        表示装置
１０６      硬貨収納部
１０６ｓ    硬貨センサ
１１１      硬貨表示部
１１２      硬貨ニアフル検出部
１１３      硬貨単位変更設定部
１２０      硬貨補充可否検出部
１２１      硬貨ソフト検出部
１２１ｓ    硬貨ソフトカウンタ
１２２      硬貨ハード検出部
２０６      紙幣収納部
２０６ｓ    紙幣センサ
２１１      紙幣表示部
２１２      紙幣ニアフル検出部
２１３      紙幣単位変更設定部
２２０      紙幣補充可否検出部
２２１      紙幣ソフト検出部
２２１ｓ    紙幣ソフトカウンタ
２２２      紙幣ハード検出部
３００      棒金収納庫
３１０      棒金収納ドロア
３１０ａ−３１０ｆ  金種別棒金収納ドロア
３１１ｓ    棒金有無検知センサ
３２０      棒金ロック部
Ｃ０        ＰＯＳ制御部
Ｃ１        硬貨制御部
Ｃ２        紙幣制御部
Ｃ３        棒金制御部
【図１】
0005595878.tif 000002
【図２】
0005595878.tif 000003
【図３】
0005595878.tif 000004
【図４】
0005595878.tif 000005
【図５】
0005595878.tif 000006
【図６】
0005595878.tif 000007
【図７】
0005595878.tif 000008
【図８】
0005595878.tif 000009
【図９】
0005595878.tif 000010
【図１０】
0005595878.tif 000011